(57)【要約】  本発明は、シャワールームの内部空間を有効に利用できると共に、簡単な構成で各種住宅に対応可能なシャワールーム用ドア構造およびシャワールームを提供するために、シャワー設備を備えるシャワールームに出入りするためのシャワールーム用ドア構造において、シャワールームの枠体に対して、互いに擦れ違い移動可能に嵌め込まれた２枚の扉体を備え、扉体のそれぞれは、透光性の基材と、基材が嵌め込まれたドアフレームと、を有し、ドアフレームにはシャワールームの枠体に対して係合可能なロック部が設けられている。
2020170701.tif 000002
【特許請求の範囲】
【請求項１】
シャワー設備を備えるシャワールームに出入りするためのシャワールーム用ドア構造であって、
前記シャワールームの枠体に対して、互いに擦れ違い移動可能に嵌め込まれた２枚の扉体を備え、
前記２枚の扉体のそれぞれは、透光性の基材と、前記基材が嵌め込まれたドアフレームと、を有し、
前記ドアフレームには前記シャワールームの枠体に対して係合可能なロック部が設けられたシャワールーム用ドア構造。
【請求項２】
前記２枚の扉体が嵌め込まれて閉成状態の前記シャワールームの枠体において、前記枠体の鉛直方向に延びる中心線に対して対称的な位置に前記ロック部が設けられた、請求項１に記載のシャワールーム用ドア構造。
【請求項３】
前記２枚の扉体のそれぞれにおけるドアフレームは、前記シャワールームの閉成状態において、前記シャワールームの枠体に対向する面の一部にシール領域が形成された、請求項１または２に記載のシャワールーム用ドア構造。
【請求項４】
前記２枚の扉体のそれぞれにおけるドアフレームは、前記シャワールームの閉成状態において、前記シャワールームの枠体に対向する面にシール領域および換気領域が形成された、請求項１または２に記載のシャワールーム用ドア構造。
【請求項５】
前記シール領域は、前記換気領域より上方に形成された、請求項４に記載のシャワールーム用ドア構造。
【請求項６】
シャワー設備と、人が出入りするためのドアと、を備えるシャワールームであって、
前記ドアは、
前記シャワールームの枠体に対して、互いに擦れ違い移動可能に嵌め込まれた２枚の扉体を備え、
前記２枚の扉体のそれぞれは、透光性の基材と、前記基材が嵌め込まれたドアフレームと、を有し、
前記ドアフレームには前記シャワールームの枠体に対して係合可能なロック部が設けられたシャワールーム。
【請求項７】
前記２枚の扉体において、前記シャワー設備が配設されたシャワー空間を形成する一方の扉体が前記シャワールームの枠体に対して係合してロック状態であり、他方の扉体が前記シャワールームの枠体に対して移動可能に構成された、請求項６に記載のシャワールーム。
【請求項８】
前記２枚の扉体のそれぞれにおけるドアフレームは、前記シャワールームの閉成状態において、前記シャワールームの枠体に対向する面の一部にシール領域が形成された、請求項６または７に記載のシャワールーム。
【請求項９】
前記２枚の扉体のそれぞれにおけるドアフレームは、前記シャワールームの閉成状態において、前記シャワールームの枠体に対向する面にシール領域および換気領域が形成された、請求項６または７に記載のシャワールーム。
【請求項１０】
前記２枚の扉体が嵌め込まれて閉成状態の前記シャワールームの枠体において、前記枠体の鉛直方向に延びる中心線に対して対称的な位置に前記ロック部が設けられた、請求項６または７に記載のシャワールーム。
【発明の詳細な説明】
【技術分野】
【０００１】
本発明は、シャワールームに関し、特に、シャワールーム用ドア構造に関する。
【背景技術】
【０００２】
シャワーを浴びるためのシャワールームは、ウェット空間として密閉空間に形成されており、人がシャワーを浴びるときに水が室外へ飛散することを防止する構造を有している。密閉空間であるシャワールームには、少なくともシャワー設備と共に換気扇、および人が出入りするために開閉するドアが設けられている。
【先行技術文献】
【特許文献】
【０００３】
【特許文献１】特開２００５−２００９２２号公報
【発明の概要】
【発明が解決しようとする課題】
【０００４】
人がシャワールームへ出入りするためのドアとしては、蝶番により回動する開き戸が一般的に用いられている。このような開き戸の開閉動作は、シャワールームの内部空間に開き戸が入り込む構成であり、シャワールームの狭い内部空間の一部が開き戸に占有され、有効利用できない構成であった。特に、シャワールームの内部に物が置かれたときには、開き戸の開閉動作において邪魔となり、場合となっては開閉ができないことがある。【０００５】
近年、シャワールームとしてはユニット化され、既存の住宅に簡単に設置できる構成が提案されている。このようなユニット化されたシャワールームおいては、各種住宅に対応できる構成が望まれている。例えば、住宅にシャワールームを設置する場合において、人が出入りするドア、およびシャワー設備などの配置構成がそれぞれの住宅において異なっている。このようなドアおよび／またはシャワー設備の配置構成が異なる住宅であっても、対応することが可能なシャワールームの構成が望まれている。【０００６】
本発明は、シャワールームの内部空間を有効に利用できると共に、簡単な構成で各種住宅に対応可能なシャワールーム用ドア構造およびシャワールームの提供を目的とする。
【課題を解決するための手段】
【０００７】
本発明に係る一態様のシャワールーム用ドア構造は、
シャワー設備を備えるシャワールームに出入りするためのシャワールーム用ドア構造であって、
前記シャワールームの枠体に対して、互いに擦れ違い移動可能に嵌め込まれた２枚の扉体を備え、
前記扉体のそれぞれは、透光性の基材と、前記基材が嵌め込まれたドアフレームと、を有し、
前記ドアフレームには前記シャワールームの枠体に対して係合可能なロック部が設けられている。【０００８】
また、本発明に係る一態様のシャワールームは、
シャワー設備と、人が出入りするためのドアと、を備えるシャワールームであって、
前記ドアは、
前記シャワールームの枠体に対して、互いに擦れ違い移動可能に嵌め込まれた２枚の扉体を備え、
前記扉体のそれぞれは、透光性の基材と、前記基材が嵌め込まれたドアフレームと、を有し、
前記ドアフレームには前記シャワールームの枠体に対して係合可能なロック部が設けられている。
【発明の効果】
【０００９】
本発明によれば、シャワールームの内部空間を有効に利用でき、且つ簡単な構成で各種住宅に対応可能なシャワールーム用ドア構造およびシャワールームを提供することができる。
【図面の簡単な説明】
【００１０】
【図１】本発明に係る実施の形態１のシャワールームを示す概略正面図
【図２】実施の形態１のシャワールームにおけるドア構造の概略構成を示す図、（ａ）は扉体の平面図、（ｂ）は扉体の正面図
【図３】実施の形態１のシャワールームにおいて、ドアフレームに設けたロック部の非ロック状態（開閉可能状態）とロック状態（開閉禁止状態）とを模式的に示す図
【図４】実施の形態１のシャワールームにおけるドア構造を示す図
【図５】実施の形態１のシャワールームにおけるドア構造を示す図
【図６】本発明に係る実施の形態２のシャワールームにおけるドア構造の概略を示す図
【図７】実施の形態２のシャワールーム用ドア構造の変形例を示す正面図
【図８】実施の形態２のシャワールーム用ドア構造の別の変形例を示す正面図
【発明を実施するための形態】
【００１１】
以下、本発明のシャワールーム用ドア構造およびシャワールームの具体的な実施の形態として添付の図面を参照しながら説明する。なお、本発明のシャワールームの構成は、以下の実施の形態に記載したシャワールームの構成に限定されるものではなく、その他の水廻り器具（便器、浴槽など）を含む構成としてもよく、以下の実施の形態において説明する技術的特徴を有する技術的思想と同等の技術に基づく構成を含むものである。
【００１２】
また、以下の実施の形態において示す形状、構成などは、一例を示すものであり、本発明を限定するものではない。以下の実施の形態における構成要素のうち、最上位概念を示す独立請求項に記載されていない構成要素については、任意の構成要素として説明される。なお、図面は、理解しやすくするために、それぞれの構成要素を主体に模式的に示している。
【００１３】
先ず始めに、本発明のシャワールーム用ドア構造およびシャワールームにおける各種態様を例示する。
【００１４】
本発明に係る第１の態様のシャワールーム用ドア構造は、
シャワー設備を備えるシャワールームに出入りするためのシャワールーム用ドア構造であって、
前記シャワールームの枠体に対して、互いに擦れ違い移動可能に嵌め込まれた２枚の扉体を備え、
前記扉体のそれぞれは、透光性の基材と、前記基材が嵌め込まれたドアフレームと、を有し、
前記ドアフレームには前記シャワールームの枠体に対して係合可能なロック部が設けられている。
【００１５】
上記のように構成された第１の態様のシャワールーム用ドア構造は、シャワールームの内部空間を有効に利用できる構成となり、且つ簡単な構成で各種住宅に対応可能な構成となる。
【００１６】
本発明に係る第２の態様のシャワールーム用ドア構造は、前記の第１の態様における前記２枚の扉体が嵌め込まれて閉成状態の前記シャワールームの前記枠体において、前記枠体の鉛直方向に延びる中心線に対して対称的な位置に前記ロック部が設けられてもよい。
【００１７】
本発明に係る第３の態様のシャワールーム用ドア構造は、前記の第１の態様または第２の態様の前記２枚の扉体のそれぞれにおけるドアフレームが、前記シャワールームの閉成状態において、前記シャワールームの枠体に対向する面の一部にシール領域が形成されてもよい。
【００１８】
本発明に係る第４の態様のシャワールーム用ドア構造は、前記の第１の態様または第２の態様の前記２枚の扉体のそれぞれにおけるドアフレームが、前記シャワールームの閉成状態において、前記シャワールームの枠体に対向する面にシール領域および換気領域が形成されてもよい。
【００１９】
本発明に係る第５の態様のシャワールーム用ドア構造は、前記の第４の態様の前記シール領域が、前記換気領域より上方に形成されてもよい。
【００２０】
本発明に係る第６の態様のシャワールームは、
シャワー設備と、人が出入りするためのドアと、を備えるシャワールームであって、
前記ドアは、
前記シャワールームの枠体に対して、互いに擦れ違い移動可能に嵌め込まれた２枚の扉体を備え、
前記扉体のそれぞれは、透光性の基材と、前記基材が嵌め込まれたドアフレームと、を有し、
前記ドアフレームには前記シャワールームの枠体に対して係合可能なロック部が設けられている。
【００２１】
上記のように構成された第６の態様のシャワールームは、シャワールームの内部空間を有効に利用できる構成となり、且つ簡単な構成で各種住宅に対応可能な構成となる。
【００２２】
本発明に係る第７の態様のシャワールームは、前記の第６の態様の前記２枚の扉体において、前記シャワー設備が配設されたシャワー空間を形成する一方の扉体が前記シャワールームの枠体に対して係合してロック状態であり、他方の扉体が前記シャワールームの枠体に対して移動可能に構成されてもよい。
【００２３】
本発明に係る第８の態様のシャワールームは、前記の第６の態様または第７の態様の前記２枚の扉体のそれぞれにおけるドアフレームが、前記シャワールームの閉成状態において、前記シャワールームの枠体に対向する面の一部にシール領域が形成されてもよい。
【００２４】
本発明に係る第９の態様のシャワールームは、前記の第６の態様または第７の態様の前記２枚の扉体のそれぞれにおけるドアフレームが、前記シャワールームの閉成状態において、前記シャワールームの枠体に対向する面にシール領域および換気領域が形成されてもよい。
【００２５】
本発明に係る第１０の態様のシャワールームは、前記の第６の態様または第７の態様における前記２枚の扉体が嵌め込まれて閉成状態の前記シャワールームの前記枠体において、前記枠体の鉛直方向に延びる中心線に対して対称的な位置に前記ロック部が設けられてもよい。
【００２６】
（実施の形態１）
以下、本発明に係る実施の形態１のシャワールーム用ドア構造およびシャワールームについて、添付の図面を参照しつつ説明する。図１は実施の形態１のシャワールーム１を示す概略正面図である。なお、実施の形態１の説明においては、図１に示すシャワールーム１の正面を見た状態で「右側」および「左側」と称する。
【００２７】
図１に示すように、実施の形態１のシャワールーム１のドア２としては、２枚の扉体２Ａ、２Ｂが左右にスライドして開閉する構造を有している。即ち、ドアの扉体２Ａ、２Ｂは、引き違い戸の構成であり、いずれの扉体２Ａ、２Ｂも互いに擦れ違い移動可能な構成を有している。但し、図１に示すシャワールーム１のドア２において、右側の扉体２Ｂがロック状態でスライドしない隔壁として機能し、左側の扉体２Ａが左右にスライド可能（開閉可能）であり、開閉ドアとして機能する。２枚の扉体２Ａ、２Ｂは、後述するように左右対称の構造を有しており、いずれの扉体２Ａ、２Ｂもシャワールーム１の枠体１０に対してロック可能な構造を有している。
【００２８】
扉体２Ａ、２Ｂのそれぞれは、四角い透光性の基材（例えば、透明／半透明の強化ガラス板、樹脂板などの板材）７と、その基材７の四方を囲み、基材７が嵌め込まれるドアフレーム（例えば、アルミフレーム、樹脂フレームなど）８とを有して構成されている。このように構成された２枚の扉体２Ａ、２Ｂは、住宅の躰体に固定されたシャワールーム１の枠体１０に対して、互いに擦れ違いするように移動可能に嵌め込まれている。このようにシャワールーム１の枠体１０に嵌め込まれた２枚の扉体２Ａ、２Ｂが、スライド可能（開閉可能）、および／またはロック可能（係合可能）に構成されている。
【００２９】
上記のように扉体２Ａ、２Ｂのそれぞれには透光性の基材７が用いられているため、扉体２Ａ、２Ｂを透して外部から光が入り、シャワールーム１の内部を明るくすることが可能となり、シャワールーム１の内部の人の存在などを外部から確認することが可能となる。
【００３０】
なお、扉体２Ａ、２Ｂのそれぞれのドアフレーム８には、開閉時の把手となる把手用部材１３が突設されている。把手用部材１３は、上下に延設された薄板形状であり、閉成状態において両端側となるドアフレーム８の上下に延設されたフレームの内側および外側に形成されている。この実施の形態１において、上下に延びる板状の把手用部材１３は、ドアフレーム８との一体成型により形成されている。
【００３１】
図１に示すように、実施の形態１のシャワールーム１においては、右側の壁面にシャワー設備である水栓３、シャワーホース４、シャワーヘッド５などが設けられている。したがって、シャワールーム１の内部空間においては、右側が主としたシャワー空間となる。このシャワー空間の上方の天井壁には換気扇６が設けられている。
【００３２】
上記のように、実施の形態１のシャワールーム１においては、右側内部空間が主としたシャワー空間となり、左側内部空間が人の出入りする空間となる。このため、左側の扉体２Ａが開閉ドアとして機能し、右側の扉体２Ｂが開閉のロックされた隔壁として機能する。
【００３３】
図２の（ａ）および（ｂ）は、実施の形態１のシャワールーム１におけるドア構造の概略を示す図であり、シャワールーム１が２枚の扉体２Ａ、２Ｂにより閉じられた状態（閉成状態）を示している。図２の（ａ）は扉体２Ａ、２Ｂを上から見た平面図であり、図２の（ｂ）は扉体２Ａ、２Ｂを正面図である。図２に示す閉成状態において、扉体２Ａは開閉可能な非ロック状態であり、扉体２Ｂは開閉が禁止されたロック状態である。
【００３４】
図２の（ｂ）に示すように、扉体２Ａ、２Ｂのそれぞれのドアフレーム８にはロック部９が設けられている。シャワールーム１が扉体２Ａ、２Ｂにより閉じられた閉成状態において、シャワールーム１の枠体１０の両側で左右の枠体１０と対向するそれぞれのドアフレーム８には上下に２つのロック部９が設けられている。２枚の扉体２Ａ、２Ｂが嵌め込まれて閉成状態のシャワールーム１の枠体１０において、ドアフレーム８のロック部９は、枠体１０の鉛直方向に延びる中心線に対して対称的な位置に設けられている。
【００３５】
ドアフレーム８に設けたロック部９は、ドアフレーム８から枠体１０の方向に突設しているロック突起１２（図３参照）が上下に移動可能であり、対向する枠体１０に設けた係合部１１と係合するように構成されている。ロック突起１２が下方に移動して、枠体１０の凹部である係合部１１と係合し、ロック状態が形成される。
【００３６】
図３は、ドアフレーム８に設けたロック部９のロック突起１２と、枠体１０に設けた凹部である係合部１１との非ロック状態（開閉可能状態）、およびロック状態（開閉禁止状態）を模式的に示す図である。図３においては、（ａ）に示す非ロック状態から、ロック部９が操作されて、（ｂ）に示すロック状態に移行することを示している。
【００３７】
図３の（ａ）に示す非ロック状態（開閉可能状態）においては、ロック部９のスライド部材９ａが非ロック位置（図３においては下側位置）にあり、閉成時におけるロック突起１２は、枠体１０の内部に挿入されるが、枠体１０の内部の係合部１１とは係合しない位置にある。
【００３８】
図３の（ｂ）に示すロック状態においては、ロック部９のスライド部材９ａがロック位置（図３においては上側位置）にあり、ロック突起１２が下方に移動して、ロック突起１２の先端部分（屈曲部分）が枠体１０の内部に形成された凹部である係合部１１と係合している。このため、図３の（ｂ）に示すロック状態においては、扉体（２Ａ／２Ｂ）が枠体１０に対して確実に移動が禁止されており、スライドしない状態となる。
【００３９】
前述のように、図１に示した実施の形態１のシャワールーム１においては、右側の壁面にシャワー設備が設けられており、右側内部空間が主としてシャワー空間であり、左側内部空間が人の出入り空間である。このため、左側の扉体２Ａが開閉可能な開閉ドアとして用いられ、右側の扉体２Ｂがロック状態で隔壁として用いられる。
【００４０】
しかしながら、各種住宅においては、シャワールーム１が左側の壁面にシャワー設備が設けられた構成も存在するため、左側の扉体２Ａをロック状態で隔壁として用いて、右側の扉体２Ｂを開閉可能な開閉ドアとして用いることも可能である。
【００４１】
図４は、実施の形態１のシャワールーム１におけるドア構造を示しており、左側の扉体２Ａが開閉可能な開閉ドアであり、右側の扉体２Ｂがロック状態で隔壁として用いられる構成を模式的に示している。図４において、（ａ）および（ｂ）はシャワールーム１が閉じられた閉成状態を模式的に示しており、（ａ）が扉体２Ａと扉体２Ｂによる閉成状態を示す平面図であり、（ｂ）が閉成状態を示す正面図である。また、図４において、（ｃ）および（ｄ）がシャワールーム１の開成状態を模式的に示しており、（ｃ）が扉体２Ａと扉体２Ｂが重なった開成状態を示す平面図であり、（ｄ）が開成状態を示す正面図である。
【００４２】
反対に、図５は、左側の扉体２Ａがロック状態の隔壁として用いられており、右側の扉体２Ｂが開閉可能な開閉ドアとして用いられた構成を模式的に示している。図５において、（ａ）が扉体２Ａと扉体２Ｂによる閉成状態を示す平面図であり、（ｂ）が閉成状態を示す正面図である。また、図５において、（ｃ）および（ｄ）は扉体２Ｂが開かれたシャワールーム１の開成状態を模式的に示しており、（ｃ）が扉体２Ａと扉体２Ｂが重なった開成状態の平面図であり、（ｄ）が開成状態の正面図である。
【００４３】
図４および図５に示すように、本発明のシャワールーム用ドア構造は、簡単な構成で各種住宅に対応可能な構成を有しており、ドアの開閉動作においてシャワールームの内部空間を一部でも占有するようなことがなく、狭い限られた内部空間を有効利用できる構成である。
【００４４】
（実施の形態２）
次に、本発明に係る実施の形態２のシャワールーム用ドア構造およびシャワールーム１について、添付の図６〜図８を用いて説明する。図６は、実施の形態２のシャワールーム１におけるドア構造の概略を示す図であり、シャワールーム１がドア１０２により閉じられた状態を示している。図７および図８は、実施の形態２のシャワールーム用ドア構造の変形例を示す正面図である。図６〜図８において、前述の実施の形態１と実質的に同一の機能、構成を有する要素には同じ番号を付与している。また、実施の形態２におけるドア１０２（扉体１０２Ａ、１０２Ｂ）の開閉機構およびロック機構は、実施の形態１におけるドア２（扉体２Ａ、２Ｂ）の開閉機構およびロック機構と同じであるので、実施の形態２においては実施の形態１と異なる点を主として説明する。
【００４５】
図６の（ａ）は実施の形態２のシャワールーム１におけるドアの正面図である。図６の（ａ）に示すドア１０２は、実施の形態１と同様に２枚の扉体１０２Ａ、１０２Ｂにより構成されており、ロック部９、把手用部材１３などが設けられている。実施の形態２のドア１０２において、実施の形態１の構成と異なる点は、シャワールーム１の枠体１１０と、ドア１０２のドアフレーム１０８との間にシール領域Ｓと、換気領域Ｖとが設けられている点である。シール領域Ｓと換気領域Ｖは、シャワールーム１の枠体１１０と、ドア１０２のドアフレーム１０８との対向する間において、上下に延びる領域に形成されている。
【００４６】
図６の（ｂ）は、図６の（ａ）におけるｂ−ｂ断面を模式的に示した図であり、シール領域Ｓを示している。図６の（ｃ）は、図６の（ａ）におけるｃ−ｃ断面を模式的に示した図であり、換気領域Ｖを示している。
【００４７】
図６の（ｂ）に示すように、シャワールーム１の枠体１１０において上下に延設された左右のフレーム（両側位置のフレーム）には、上下に延びる凸部１１０ａが形成されている。一方、凸部１１０ａに対向するドア１０２のドアフレーム１０８には、上下に延びる凹部１０８ａが形成されている。枠体１１０の凸部１１０ａと、ドアフレーム１０８の凹部１０８ａとは、閉成時に対向するよう構成されており、その間にはシール部材１１４が配設されている。シール部材１１４は、ドアフレーム１０８の凹部１０８ａの内面に配設されており、ドアフレーム１０８を上下に２分割した上側の領域に設けられている。
【００４８】
ドア１０２の扉体（１０２Ａ／１０２Ｂ）が閉じられたとき、枠体１１０の凸部１１０ａがシール部材１１４に当接し、枠体１１０の凸部１１０ａとドアフレーム１０８の凹部１０８ａとの間にシール部材１１４が介在する状態となる。その結果、閉成状態のドア１０２の扉体（１０２Ａ／１０２Ｂ）は、シャワールーム１の枠体１１０に対して上側の領域がシールされたシール領域Ｓとなる。したがって、実施の形態２のシャワールーム１においては、枠体１１０とドア１０２との間の上側の領域が密閉され、外部からの空気の流れ込みが防止されている。このため、シャワールームにおいてシャワーを浴びている人が、ドア１０２と枠体１１０との間を通して入る空気の流れを直接的に感じることが抑制されている。
【００４９】
一方、ドアフレーム１０８を上下に２分割した下側の領域は、図６の（ｃ）に示すように、シール部材１１４が設けられておらず、枠体１１０の凸部１１０ａとドアフレーム１０８の凹部１０８ａとの間に換気隙間１１５が形成されている。即ち、実施の形態２のシャワールーム１においては、枠体１１０とドア１０２との間の下側の領域には換気領域Ｖが形成されている。この結果、実施の形態２のシャワールーム１においては、外気が下側から入り込み天井壁に設けられた換気扇６により換気される構成である。このため、シャワールーム１においては換気のための空気が下側から入り上側に排気される構成となり、効率の高い換気となる。
【００５０】
ドア１０２の閉成状態において、扉体１０２Ａと扉体１０２Ｂとが重なる中央部分は、外気からの空気の流れ込みが抑制されるように実質的に隙間なく形成されている。
【００５１】
なお、実施の形態２のシャワールーム１の構成においては、ドアフレーム１０８を上下に２分割して、上側領域にシール領域Ｓを設け、下側領域に換気領域Ｖを設けた構成について説明したが、本発明はこの構成に限定されるものではない。例えば、ドアフレーム１０８を上下に３分割して、最上領域をシール領域Ｓとし、中間領域を換気領域Ｖとし、最下領域をシャワールーム１から外部への水が流れ出るのを防止する止水領域Ｗとしてもよい。また、閉成状態においてシャワールーム１の枠体１１０に対向する上下に延設されたドアフレーム１０８を上下に複数分割した各領域（Ｓ，Ｖ，Ｗ）の大きさとしては、同じ大きさ（上下の長さ）に限定されるものではなく、シャワールーム１の仕様に応じて適宜設定してもよい。
【００５２】
また、シール部材１１４としては、閉成状態において、シャワールーム１の枠体１１０の凸部１１０ａとドアフレーム１０８の凹部１０８ａとの間に介在する構成であればよく、枠体１１０の凸部１１０ａ側に設けてもよい。シール部材としては、弾性体であるゴム材、樹脂材などが用いられる。
【００５３】
更に、実施の形態２の構成においては、シャワールーム１の枠体１１０に凸部１１０ａを形成し、ドアフレーム１０８に凹部１０８ａを形成した例で説明したが、本発明としてはこの構成に限定されるものではなく、枠体に凹部を形成し、ドアフレームに凸部を形成してもよく、シャワールームの枠体とドアフレームとの間にシール領域Ｓ、および／または換気領域Ｖが形成される構成であればよい。
【００５４】
図７および図８は、シャワールーム１の枠体１１０と、ドアフレーム１０８との間に形成されるシール領域Ｓと、換気領域Ｖとの配設位置の変形例を示す正面図である。図７に示すドア１０２の構成においては、シール領域Ｓが枠体１１０とドアフレーム１０８との中間領域に設けられた構成であり、換気領域Ｖが最上領域と下方領域とに設けられている。また、枠体１１０とドアフレーム１０８との間において、最下領域には止水領域Ｗが形成されている。このように構成されたシャワールーム１においては、外気が上方と下方から入り天井壁の換気扇から排気される構成であり、シャワーを浴びている人に対して枠体１１０と扉体（１０２Ａ、１０２Ｂ）との間からの外気が直接的に吹き付けることが抑制されている。また、天井壁に対して外部からの直接的な換気が可能となり、天井壁からの滴が抑制される構成となる。
【００５５】
図８に示すドア１０２の構成においては、シール領域Ｓが枠体１１０とドアフレーム１０８との最上領域から下方領域まで設けられた構成であり、換気領域Ｖが下方領域に設けられている。このように構成されたシャワールームにおいては、下方から流入した外気が天井壁の換気扇に流れ込む構成であり、シャワーを浴びている人に対する直接的に空気の吹き付けがさらに抑制される構成になると共に、シャワールームにおける空気の吹きだまり部分が少なくなり、換気効率が更に高くなる構成である。
【００５６】
上記のように、実施の形態において説明したように、本発明のシャワールーム用ドア構造においては、簡単な構成で各種住宅に対応可能な構成を有しており、ドアの開閉動作においてシャワールームの内部空間を一部でもドアにより占有されるような状態がなくなり、狭い内部空間を有効利用できる構成である。
【００５７】
本発明をある程度の詳細さをもって各実施の形態において説明したが、これらの構成は例示であり、これらの実施の形態の開示内容は構成の細部において変化してしかるべきものである。本発明においては、各実施の形態における要素の置換、組合せ、および順序の変更は請求された本発明の範囲及び思想を逸脱することなく実現し得るものである。
【産業上の利用可能性】
【００５８】
本発明は、シャワールームの内部空間を有効に利用できると共に、各種住宅に対応可能なシャワールーム用ドア構造を提供でき、住宅設備として汎用性が高く、市場価値が高い製品を提供できる。
【符号の説明】
【００５９】
１  シャワールーム
２、１０２  ドア
２Ａ、１０２Ａ  扉体
２Ｂ、１０２Ｂ  扉体
３  水栓
４  シャワーホース
５  シャワーヘッド
６  換気扇
７  基材（板材）
８、１０８  ドアフレーム
９  ロック部
９ａ  スライド部材
１０、１１０  シャワールームの枠体
１１  係合部
１２  ロック突起
１３  把手用部材
１１４  シール部材
１１５  換気隙間
Ｓ  シール領域
Ｖ  換気領域
Ｗ  止水領域
【図１】
2020170701.tif 000003
【図２】
2020170701.tif 000004
【図３】
2020170701.tif 000005
【図４】
2020170701.tif 000006
【図５】
2020170701.tif 000007
【図６】
2020170701.tif 000008
【図７】
2020170701.tif 000009
【図８】
2020170701.tif 000010
【国際調査報告】
2020170701.tif 000011
2020170701.tif 000012
2020170701.tif 000013
2020170701.tif 000014